(57)【特許請求の範囲】
【請求項１】
建築用ボード間の目地空間に嵌入され、目地空間を柱部の左右両側面部に形成された少なくとも先端リップと後端リップとからなるシールリップ部でシールする長尺状の底目地用ガスケットにおいて、
前記柱部先端に、下側に開口しかつ柱部先端幅よりも左右両側面にそれぞれ左右端部がはみ出しかつ拡開可能な脚部と，該脚部の左右端部を節部として該左右端部から左右両側面方向傾め上側にそれぞれ延設された左右一対の先端リップとを設け、
前記建築用ボードの外側端面と前記後端リップとの間には隙間を生じさせないように、前記脚部の高さを変化させるものであり、
目地巾が標準の場合よりも小さくなると嵌入時に目地側面に接する前記先端リップの傾斜角度を節部を中心に大きくし前記脚部を拡開させて脚部の高さを低くし、逆に目地巾が標準の場合よりも大きくなると先端リップの傾斜角度を節部を中心に小さくし脚部の拡開を小さくして脚部の高さを高くしたことを特徴とする底目地用ガスケット。
【請求項２】
前記脚部と先端リップとからなる柱部先端の形状は左右対称の断面略Ω状であり、脚部は下側に開口しかつ柱部先端幅よりも左右両側面にそれぞれはみ出して湾曲した拡開可能な半円形状であることを特徴とする請求項１に記載の底目地用ガスケット。
【発明の詳細な説明】
【０００１】
【発明の属する技術分野】
本発明は、建築用ボード間の目地空間に嵌入され、目地空間をシールする底目地用ガスケットに関する。
【０００２】
【従来の技術】
従来の底目地用ガスケット１０は、図３に示すように、建築用ボード１，１間の目地空間Ｍに嵌入され、目地空間Ｍを柱部１１の左右両側面部に形成された複数のシールリップ部１２，１３，１４（先端リップ１２，中間リップ１３，後端リップ１４）でシールする長尺状（紙面の裏表方向に長く延びる）の底目地タイプのガスケットである。
底目地用ガスケット１０が目地空間Ｍに嵌入されることによってシールリップ部１２〜１４から建築用ボード１，１の対向する側面に側圧が加わることにより止水効果が得られるようになっている。図３（ａ）は目地巾Ｌ１が最大の場合、図３（ｂ）は目地巾Ｌ２が標準の場合、および図３（ｃ）は目地巾Ｌ３が最小の場合であり、それぞれ底目地用ガスケット１０が嵌入された状態を示すものである。なお、建築用ボード１，１は外壁下地合板１ａ，１ａとその上に設けられた外壁ボード１ｂ，１ｂからなる。符号２は鉄骨材である。
【０００３】
【発明が解決しようとする課題】
図３（ａ），（ｂ），（ｃ）に示すように、目地巾にバラツキがある際、底目地タイプのガスケットは特に止水性には問題はなく、施工も簡単であるが、先端部の位置は同一でシールリップ部１２〜１４の側面に対する弾接面積が変化することから底目地用ガスケット１０の外観が著しく異なり見栄えが悪いという不具合がある。すなわち、目地巾Ｌ１が最大の場合の底目地用ガスケット１０の後端リップ１４の湾曲変形の度合いは（図３（ａ））、目地巾Ｌ２が標準の場合（図３（ｂ））よりも小さく、また目地巾Ｌ３が最小の場合の底目地用ガスケット１０の後端リップ１４の湾曲変形の度合いは（図３（ｃ））は、目地巾Ｌ２が標準の場合（図３（ｂ））よりも大きいため、建築用ボード１の外側端面と底目地用ガスケット１０の後端リップ１４までの距離は目地巾の大小に対応して大小の関係がある（Ｓ１＞Ｓ２＞Ｓ３）。このような理由から、底目地タイプのガスケットは採用されないことがあった。
【０００４】
そこで、建築用ボード１の外側端面と底目地用ガスケット１０の後端リップ１４までの距離を一定にするように底目地用ガスケット１０の高さを調整して見栄えをよくするために図４に示すように、先端部に高さ調整用の捨てバリ１５を使用したものが知られている。図４の示す例では、目地巾Ｌ１が最大の場合には捨てバリ１５を２個使用し、目地巾Ｌ２が標準の場合には捨てバリ１５を１個使用，１個除去し、目地巾Ｌ３が最小の場合には捨てバリ１５を２個除去して高さを統一したものである。
【０００５】
しかしながら、予め目地巾を計算してその目地巾に適した分だけ捨てバリ１５を除去することは煩わしく困難であるという問題がある。また、捨てバリ１５を除去することによって余分をゴミが発生することになる。
更に一本の目地においてその幅が変化するような場合にはそれに対応した捨てバリ１５の使用，除去は非常に困難である。
【０００６】
そこで本発明の目的は、特に捨てバリを使用することなく、目地巾が変化しても外観が一定で見栄えのよい底目地用ガスケットを提供することにある。
【０００７】
【課題を解決するための手段】
上記の目的を達成するために、本発明の請求項１に記載の底目地用ガスケットは、建築用ボード（１，１）間の目地空間（Ｍ）に嵌入され、目地空間（Ｍ）を柱部（２１）の左右両側面部に形成された少なくとも先端リップ（２２，２２）と後端リップ（２５，２５）とからなるシールリップ部でシールする長尺状の底目地用ガスケット（２０）において、柱部（２１）先端に、下側に開口しかつ柱部先端幅よりも左右両側面にそれぞれ左右端部がはみ出しかつ拡開可能な脚部（３０）と，脚部（３０）の左右端部を節部（３０ａ，３０ａ）として左右端部から左右両側面方向傾め上側にそれぞれ延設された左右一対の先端リップ（２２，２２）とを設け、前記建築用ボード（１，１）の外側端面と前記後端リップ（２５，２５）との間には隙間を生じさせないように、脚部（３０）の高さを変化させるものであり、目地巾（Ｌ３）が標準の場合（Ｌ２）よりも小さくなると嵌入時に目地側面に接する先端リップ（２２，２２）の傾斜角度を節部（３０ａ，３０ａ）を中心に大きくし脚部（３０）を拡開させて脚部（３０）の高さを低くし、逆に目地巾（Ｌ１）が標準の場合（Ｌ２）よりも大きくなると先端リップ（２２，２２）の傾斜角度を節部（３０ａ，３０ａ）を中心に小さくし脚部（３０）の拡開を小さくして脚部（３０）の高さを高くしたことを特徴とする。
【０００８】
また請求項２に記載の底目地用ガスケットは、請求項１に記載の脚部（３０）と先端リップ（２２，２２）とからなる柱部（２１）先端の形状は左右対称の断面略Ω状であり、脚部（３０）は下側に開口しかつ柱部先端幅よりも左右両側面にそれぞれはみ出して湾曲した拡開可能な半円形状であることを特徴とする。
【０００９】
なお、カッコ内の記号は図面に示し後述する発明の実施の形態の対応要素又は対応事項を示す。
【００１０】
請求項１に記載の発明によれば、脚部の節部に対して先端リップは左右両側面方向傾め上側に延設されているので、底目地用ガスケットが建築用ボード間の目地空間に嵌入させられると、先ず節部が目地底に当たる。そして先端リップは建築用ボード側面からの側圧を受けるので節部を中心としてその傾斜角度を嵌入前と比較して大きくするように変形する。これにともない脚部は拡開し脚部の高さは低くなる、すなわち底目地用ガスケットの高さ（節部の先端と柱部の後端までの距離）は嵌入前と比較して低くなる。
【００１１】
例えば、底目地用ガスケットを建築用ボード間の最小の目地巾を有する目地空間に嵌入すると、先端リップの傾斜角度は節部を中心に標準の目地巾の場合よりも大きくなるので脚部の拡開はより大きくなる。これにより脚部の高さは標準の目地巾の場合よりも低くなり、底目地用ガスケットの高さもより低くなる。このとき、目地巾が狭いと先端リップだけでなく、後端リップも建築用ボード側面からより強い側圧（摩擦抵抗）を受けるので標準の目地巾の場合よりも変形の度合いが大きい。したがって、底目地用ガスケットの高さは低くなるが、後端リップの湾曲変形の度合いが大きくなるので、建築用ボードの外側端面と後端リップとの間には標準の目地巾の場合と同様に隙間を生じないようにすることができる。よって外観上見栄えを特に悪くすることはない。
【００１２】
逆に、底目地用ガスケットを建築用ボード間の最大の目地巾を有する目地空間に嵌入すると、先端リップの傾斜角度は節部を中心に標準の目地巾の場合よりも小さくなるので脚部の拡開はより小さくなる。これにより脚部の高さは標準の目地巾の場合よりも高くなり、底目地用ガスケットの高さもより高くなる。このとき、目地巾が広いと先端リップだけでなく、後端リップも建築用ボード側面からより受ける側圧（摩擦抵抗）は弱いので標準の目地巾の場合よりも変形の度合いは小さい。したがって、底目地用ガスケットの高さは高くなるが、後端リップの湾曲変形の度合いが小さくなるので、建築用ボードの外側端面と後端リップとの間には標準の目地巾の場合と同様に隙間を生じないようにすることができ、また端面から後端リップが外に突出することも防止できる。よって外観上見栄えを特に悪くすることはない。
【００１３】
このように柱部の先端に設けられた脚部と先端リップとの働きによって目地巾に対応して底目地用ガスケットの高さは自動的に調整され、建築用ボードの外側端面と後端リップとの間には隙間を生じることがないようにされるので捨てバリを使用することなく外観を一定にして見栄えよくすることができる。
【００１４】
また請求項２に記載の発明によれば、請求項１に記載の作用効果に加えて、脚部と先端リップとからなる柱部先端の形状は左右対称の断面略Ω状であり、脚部は下側に開口しかつ柱部先端幅よりも左右両側面にそれぞれはみ出して湾曲した拡開可能な半円形状であるので、底目地用ガスケットの嵌入時に先端リップを建築用ボード間の側面に押し当てる力が強くなる。よって、一層高いシール効果が得られる。
【００１５】
【発明の実施の形態】
図１および図２を参照して、本発明の実施形態に係る底目地用ガスケット２０について説明する。図１は本実施形態に係る底目地用ガスケット２０の一部を示す斜視図であり、図２は図１に示す底目地用ガスケット２０が建築用ボード１，１間に嵌入された状態を示す断面図である。図２（ａ）は底目地用ガスケット２０が最大の目地巾Ｌ１に嵌入された場合、図２（ｂ）は標準の目地巾Ｌ２に嵌入された場合、および図２（ｃ）は最小の目地巾Ｌ３に嵌入された場合をそれぞれ示す。
【００１６】
底目地用ガスケット２０は、図１に示すように、従来例で示した底目地用ガスケット１０と同様に長尺状であり、図２に示すように、外壁下地合板１ａ，１ａとその上に設けられた外壁ボード１ｂ，１ｂからなる建築用ボード１，１間の目地空間Ｍに嵌入され目地空間Ｍを柱部２１の左右両側面部に形成された左右対称で一対のシールリップ部でシールするようになっている。なお符号５は鉄骨材を示す。
このシールリップ部は、目地空間Ｍに最先に嵌入される下側の先端リップ２２と，その逆の上側の後端リップ２５と，および、先端リップ２２と後端リップ２５との間に設けられた中間リップ２３，２４と，からなっていて、これらが、一体的に押出成形されて製造されたものである。なお、最上側の後端リップ２５の外側には装飾用のカラー材２７が貼着されている。
【００１７】
柱部２１の先端には左右対称で断面略Ω状を構成する上述した先端リップ２２と脚部３０とが一体形成されている。脚部３０は、下側に開口した半円形状であり、しかも柱部先端幅よりも左右両側面にそれぞれはみ出して湾曲した拡開可能な弾力性を有している。つまり、脚部の左右端部は柱部先端幅よりも左右両側面にそれぞれはみ出した位置に形成され、その左右端部を節部３０ａ，３０ａとして先端リップ２２，２２が左右端部から左右両側面方向傾め上側に向けてそれぞれ延設されている。
【００１８】
本実施形態例においては、底目地用ガスケット２０の材質は、全体的にＥＰＤＭソリッドゴムなどのゴム様弾性体であり、先端リップ２２及び中間リップ２３の外壁下地合板１ａに接する部分にはＥＰＤＭスポンジゴムなどのゴム様弾性体が使用され優れたシール性と脱落防止効果が得られるようになっている。
【００１９】
このような底目地用ガスケット２０を図２（ｂ）に示すような建築用ボード１，１間の標準の目地巾Ｌ２を有する目地空間Ｍに嵌入すると、先端リップ２２，２２は傾斜させられているので、節部３０ａ，３０ａが目地底に当たる。そして先端リップ２２，２２は建築用ボード１，１側面からの側圧を受けるので節部３０ａ，３０ａを中心としてその傾斜角度を図１に示した状態よりも大きくするように変形し、これにともない脚部３０は、半円形状部を図１に示した状態よりもより拡開するようになっている。これにより脚部３０の高さは低くなる、すなわち底目地用ガスケット２０の高さ（節部３０ａが接する鉄骨材５と柱部２０の後端までの距離）Ｔ２は図１に示した状態よりもやや低くなっている。
【００２０】
次に、底目地用ガスケット２０を図２（ｃ）に示すような建築用ボード１，１間の最小の目地巾Ｌ３を有する目地空間Ｍに嵌入すると、先端リップ２２，２２の傾斜角度は節部３０ａ，３０ａを中心に図２（ｂ）で示した場合よりも大きくなるので脚部３０の拡開はより大きくなる。これにより脚部３０の高さは図２（ｂ）で示した場合よりも低くなり、底目地用ガスケット２０の高さＴ３はより低くなる。このとき、目地巾が狭いと先端リップ２２，２２だけでなく、中間リップ２３，２３，２４，２４や後端リップ２５，２５も建築用ボード１，１側面からより強い側圧（摩擦抵抗）を受けるので図２（ｂ）で示した場合よりも変形の度合いが大きい。したがって、底目地用ガスケット２０の高さＴ１は低くなるが、後端リップ２５，２５の湾曲変形の度合いが大きくなるので、建築用ボード１の外側端面と後端リップ２５との間には図２（ｂ）で示した場合と同様に隙間を生じることはないので外観上見栄えを特に悪くすることはない。
【００２１】
逆に、底目地用ガスケット２０を図２（ａ）に示すような建築用ボード１，１間の最大の目地巾Ｌ１を有する目地空間Ｍに嵌入すると、先端リップ２２，２２の傾斜角度は節部３０ａ，３０ａを中心に図２（ｂ）で示した場合よりも小さくなるので脚部３０の拡開はより小さくなる。これにより脚部３０の高さは図２（ｂ）で示した場合よりも高くなり、底目地用ガスケット２０の高さＴ１はより高くなる。このとき、目地巾が広いと先端リップ２２，２２だけでなく、中間リップ２３，２３，２４，２４や後端リップ２５，２５も建築用ボード１，１側面から受ける側圧（摩擦抵抗）は弱いので図２（ｂ）で示した場合よりも変形の度合いは小さい。したがって、底目地用ガスケット２０の高さＴ３は高くなるが、後端リップ２５，２５の湾曲変形の度合いが小さくなるので、建築用ボード１の外側端面と後端リップ２５との間には図２（ｂ）で示した場合と同様に隙間を生じることはなく、また端面から後端リップ２５が外に突出することもないので外観上見栄えを特に悪くすることはない。
【００２２】
このように柱部２１の先端に設けられた脚部３０と先端リップ２２，２２との働きによって目地巾に対応して底目地用ガスケット２０の高さは自動的に調整され、建築用ボード１の外側端面と後端リップ２５との間には隙間を生じることがないようにされるので捨てバリを使用することなく外観を一定に見栄えよくすることができる。また、さらにその得られる最適のガスケット高さは、必要以上の力で底面に向かって挿入しようとしても節部３０ａと先端リップ２２の摩擦力と反力により高さが変化することがない。
【００２３】
本実施形態例では、脚部３０と先端リップ２２，２２とからなる柱部先端の形状を左右対称の断面略Ω状とし、脚部３０は下側に開口しかつ柱部先端幅よりも左右両側面にそれぞれはみ出して湾曲した拡開可能な半円形状にしたが、脚部は、下側に開口しかつ柱部先端幅よりも左右両側面にそれぞれ左右端部がはみ出しかつ拡開可能であればよく、脚部と先端リップとからなる柱部先端の形状は、例えば左右対称の断面略Ｗ状とするものでもよい。
ただし、本実施形態例のように脚部３０を拡開可能な半円形状にすることによって嵌入時に先端リップ２２，２２を建築用ボード１，１間の側面に押し当てる力を強くすることができるので一層高いシール性を得られる。
【００２４】
【発明の効果】
請求項１に記載の発明によれば、柱部の先端に設けられた脚部と先端リップとの働きによって目地巾に対応して底目地用ガスケットの高さは自動的に調整され、建築用ボードの外側端面と後端リップとの間には隙間を生じることがないようにされるので従来使用していた捨てバリを使用することなく外観を一定にして見栄えよくすることができる。
したがって、捨てバリの施工や除去作業に時間を採られることなく、また除去によりゴミが発生することもない。更に一本の目地において幅が変化するような場合であっても、その変化に対応して底目地用ガスケットの高さが調整されるので簡単に外観を一定にすることができる。
【００２５】
また請求項２に記載の発明によれば、請求項１に記載の作用効果に加えて、脚部と先端リップとからなる柱部先端の形状は左右対称の断面略Ω状であり、脚部は下側に開口しかつ柱部先端幅よりも左右両側面にそれぞれはみ出して湾曲した拡開可能な半円形状であるので、底目地用ガスケットの嵌入時に先端リップを建築用ボード間の側面に押し当てる力が強くなる。よって、一層高いシール効果が得られる。
【図面の簡単な説明】
【図１】本実施形態に係る底目地用ガスケット２０の一部を示す斜視図である。
【図２】図１に示す底目地用ガスケット２０が建築用ボード１，１間に嵌入された状態を示す断面図であり、（ａ）は最大の目地巾Ｌ１の場合、（ｂ）は標準の目地巾Ｌ２の場合、および（ｃ）は最小の目地巾Ｌ３の場合をそれぞれ示す。
【図３】従来例に係る底目地用ガスケット１０が建築用ボード１，１間に嵌入された状態を示す断面図であり、（ａ）は最大の目地巾Ｌ１の場合、（ｂ）は標準の目地巾Ｌ２の場合、および（ｃ）は最小の目地巾Ｌ３の場合をそれぞれ示す。
【図４】図３に示す底目地用ガスケット１０に捨てバリ１５を使用し、建築用ボード１，１間に嵌入された状態を示す断面図であり、（ａ）は最大の目地巾Ｌ１の場合、（ｂ）は標準の目地巾Ｌ２の場合、および（ｃ）は最小の目地巾Ｌ３の場合をそれぞれ示す。
【符号の説明】
１        建築用ボード
１ａ      外壁下地合板
１ｂ      外壁ボード
２        鉄骨材
５        鉄骨材
１０        底目地用ガスケット
１１        柱部
１２        先端リップ
１３        中間リップ
１４        後端リップ
１５        捨てバリ
２０        底目地用ガスケット
２１        柱部
２２        先端リップ
２３，２４  中間リップ
２５        後端リップ
２７        カラー材
３０        脚部
３０ａ      節部
Ｍ        目地空間
Ｌ１，Ｌ２，Ｌ３        目地巾
【図１】
0003662711.tif 000002
【図２】
0003662711.tif 000003
【図３】
0003662711.tif 000004
【図４】
0003662711.tif 000005